(57)【要約】医療用ドレープは、患者ドレープ（１００）および半径方向ドレープ取着部（２００）を含む。半径方向ドレープ取着部は、接着連結部（２０２）によって、患者ドレープに連結されることができる。半径方向ドレープ取着部は、中心ラインが挿入され得る、１つ以上の穿孔（２０５）または開口を含む。半径方向ドレープ取着部（２００）の一部または全部は、透光性または透明であることができる。半径方向ドレープ取着部の一部は、同様に、不透明であることができる。支持層が、吸収性、流体不浸透性、または両方であるように構成することができる。止血帯（１８０１）が、１つ以上の工具を必要としない除去特徴（２０９）として、半径方向ドレープ取着部と統合されてもよい。パウチ（９０１、９０２）が、手技の間、流体を捕捉する、または医療用具を保持するために追加されることができる。
2014534829.tif 000002
【特許請求の範囲】
【請求項１】
半径方向ドレープ取着部であって、
透光性部分と、
医療手技のために構成される、穿孔と、
前記半径方向ドレープ取着部を患者ドレープに取着するための接着連結部と
を備える、半径方向ドレープ取着部。
【請求項２】
前記接着連結部は、前記透光性部分に取着され、
前記穿孔は、前記透光性部分に沿って配置される、
請求項１に記載の半径方向ドレープ取着部。
【請求項３】
前記透光性部分と前記接着連結部との間に配置される、不透明区画をさらに備え、
前記接着連結部は、前記不透明区画に取着され、
前記穿孔は、前記不透明区画に沿って配置される、
請求項１に記載の半径方向ドレープ取着部。
【請求項４】
前記透光性部分は、クリアポリエチレンから製造され、前記不透明区画は、スパンボンド／メルトブロー／スパンボンド材料から製造される、請求項３に記載の半径方向ドレープ取着部。
【請求項５】
前記穿孔を中心として配置される、支持要素をさらに備える、請求項１に記載の半径方向ドレープ取着部。
【請求項６】
前記支持要素は、流体不浸透性材料を含む、請求項５に記載の半径方向ドレープ取着部。
【請求項７】
前記支持要素は、吸収性材料を含む、請求項５に記載の半径方向ドレープ取着部。
【請求項８】
前記支持要素は、前記半径方向ドレープ取着部の所定の最小面積が、前記支持要素と前記穿孔との間に配置されるように配列される、請求項５に記載の半径方向ドレープ取着部。
【請求項９】
前記支持要素は、前記透光性部分の所定の最小面積が、前記支持要素と前記穿孔との間に配置されるように配列される、請求項５に記載の半径方向ドレープ取着部。
【請求項１０】
前記所定の最小面積は、患者の四肢が、前記半径方向ドレープ取着部の真下に配置され、前記半径方向ドレープ取着部の上方から可視であるように十分である、請求項９に記載の半径方向ドレープ取着部。
【請求項１１】
前記半径方向ドレープ取着部の縁から前記穿孔に延在する、工具を必要としない除去特徴をさらに備える、請求項１に記載の半径方向ドレープ取着部。
【請求項１２】
前記穿孔を中心として配置される、支持要素をさらに備え、前記工具を必要としない除去特徴は、前記支持要素を横断して延在する、請求項１１に記載の半径方向ドレープ取着部。
【請求項１３】
前記支持要素は、前記半径方向ドレープ取着部の所定の最小面積が、前記支持要素と前記穿孔との間に配置されるように配列され、さらに、前記工具を必要としない除去特徴は、前記所定の最小面積を横断して延在する、請求項１２に記載の半径方向ドレープ取着部。
【請求項１４】
前記工具を必要としない除去特徴の開始点を示すためのインジケータをさらに備える、請求項１１に記載の半径方向ドレープ取着部。
【請求項１５】
前記工具を必要としない除去特徴は、
ドレープ切れ目と、
前記ドレープ切れ目の長さに沿って位置付けられる、接着テープ細片と、
前記ドレープ切れ目の長さに沿って延在する、前記接着テープ細片上の切り込み線であって、部分的にのみ、前記接着テープ細片を通して延在し、前記ドレープ切れ目の２つの接している縁の分離のために、前記接着テープ細片の容易な引裂をもたらす、切り込み線と
を備える、請求項１１に記載の半径方向ドレープ取着部。
【請求項１６】
前記穿孔を覆って配置される、剥離可能被覆をさらに備える、請求項１に記載の半径方向ドレープ取着部。
【請求項１７】
前記半径方向ドレープ取着部と統合された止血帯をさらに備える、請求項１に記載の半径方向ドレープ取着部。
【請求項１８】
前記止血帯は、前記半径方向ドレープ取着部の患者側の外筒と、前記半径方向ドレープ取着部の非患者側からアクセス可能であるように、前記半径方向ドレープ取着部の非患者側から外向きに延在する端部との中に封入される、請求項１７に記載の半径方向ドレープ取着部。
【請求項１９】
前記止血帯は、連結器を備える、請求項１７に記載の半径方向ドレープ取着部。
【請求項２０】
前記連結器は、前記半径方向ドレープ取着部の患者側に配置される、請求項１９に記載の半径方向ドレープ取着部。
【請求項２１】
前記止血帯は、外筒内に配置され、
前記連結器は、前記外筒を二等分し、
前記連結器は、前記外筒の第１端部と前記外筒の第２の端部との間に配置される、
請求項２０に記載の半径方向ドレープ取着部。
【請求項２２】
前記連結器は、スナップ係止デバイスを備える、請求項２０に記載の半径方向ドレープ取着部。
【請求項２３】
前記穿孔を中心として、前記半径方向ドレープ取着部に沿って配置される、１つ以上のパウチをさらに備える、請求項１に記載の半径方向ドレープ取着部。
【請求項２４】
前記１つ以上のパウチは、長方形、三角形、Ｌ−形状、湾曲側面形状、またはそれらの組み合わせのうちの１つとして構成される、請求項２３に記載の半径方向ドレープ取着部。
【請求項２５】
前記１つ以上のパウチは、２つ以上のパウチを備え、
前記半径方向ドレープ取着部は、前記半径方向ドレープ取着部の縁から前記穿孔に延在する、工具を必要としない除去特徴を備え、
前記２つ以上のパウチの第１のものは、前記工具を必要としない除去特徴の第１の側に配置され、
前記２つ以上のパウチの第２のものは、前記工具を必要としない除去特徴の第２の側に配置される、
請求項２３に記載の半径方向ドレープ取着部。
【請求項２６】
前記半径方向ドレープ取着部の患者側上の穿孔の少なくともいくつかを中心として配置される、接着要素をさらに備える、請求項１に記載の半径方向ドレープ取着部。
【請求項２７】
医療用ドレープであって、
患者ドレープと、
前記半径方向ドレープ取着部を前記患者ドレープに接着するために構成される接着連結部を有する、半径方向ドレープ取着部と
を備える、医療用ドレープ。
【請求項２８】
前記半径方向ドレープ取着部の少なくともいくつかは、透明である、請求項２７に記載の医療用ドレープ。
【請求項２９】
前記半径方向ドレープ取着部は、末梢部に挿入される中心カテーテルが、挿入され得る、少なくとも１つの開口を備える、請求項２８に記載の医療用ドレープ。
【請求項３０】
前記少なくとも１つの開口は、前記半径方向ドレープ取着部の少なくとも一部に沿って配置される、請求項２９に記載の医療用ドレープ。
【請求項３１】
前記半径方向ドレープ取着部の少なくとも他の一部は、不透明であって、前記少なくとも１つの開口は、前記半径方向ドレープ取着部の少なくとも他の一部に沿って配置される、請求項２９に記載の医療用ドレープ。
【請求項３２】
前記半径方向ドレープ取着部の縁から前記少なくとも１つの開口に延在する、工具を必要としない除去特徴をさらに備える、請求項２９に記載の医療用ドレープ。
【請求項３３】
前記半径方向ドレープ取着部と統合される止血帯をさらに備え、前記止血帯は、前記半径方向ドレープ取着部の患者側の外筒と、前記半径方向ドレープ取着部の非患者側から延在する端部との中に封入される、請求項２９に記載の医療用ドレープ。
【請求項３４】
前記接着連結部の接着側と反対の前記半径方向ドレープ取着部の側の半径方向ドレープ取着部に連結される、１つ以上のパウチをさらに備える、請求項２７に記載の医療用ドレープ。
【請求項３５】
ドレープを使用する方法であって、
患者ドレープと、前記半径方向ドレープ取着部を前記患者ドレープに取着する接着連結部を有する、半径方向ドレープ取着部とを備える、医療用ドレープを取得するステップと、
前記患者ドレープを患者を横断して留置するステップと、
前記半径方向ドレープ取着部が、前記患者ドレープの周縁を越えて延在するように、前記接着連結部を前記患者ドレープに添着するステップと
を含む、方法。
【請求項３６】
前記患者の挿入部位を覆って、前記半径方向ドレープ取着部の中心カテーテル挿入開口を留置するステップをさらに含む、請求項３５に記載の方法。
【請求項３７】
前記留置するステップは、前記剥離可能被覆を除去し、前記中心カテーテル挿入開口を中心として配置されるように接着剤を取着するステップを含む、請求項３６に記載の方法。
【請求項３８】
前記半径方向ドレープ取着部の患者側に沿って配置される外筒内に、前記患者の腕を留置するステップと、
前記半径方向ドレープ取着部の非患者側から延在する前記止血帯の端部にアクセスすることによって、前記外筒内に配置される止血帯を締結するステップと
をさらに含む、請求項３５に記載の方法。
【請求項３９】
前記腕を中心として、前記外筒を二等分する連結器を接続するステップをさらに含む、請求項３８に記載の方法。
【請求項４０】
前記半径方向ドレープ取着部の縁から前記中心カテーテル挿入開口に延在する、工具を必要としない除去特徴を開放するステップと、
前記医療用ドレープを前記患者から除去するステップと
をさらに含む、請求項３６に記載の方法。
【発明の詳細な説明】
【技術分野】
【０００１】
本発明は、概して、医療用ドレープに関し、より具体的には、医療手技の間、感染症および他の合併症の防止を促進するように構成される、ドレーブに関する。
【背景技術】
【０００２】
医療施設は、医療および外科手術手技の間に生じる二次的合併症の発生に関して、ますます懸念を強めている。例えば、静脈内カテーテルの挿入等、そうでなければ健康な患者における医療手技の間、二次的感染症または他の合併症が生じ得る可能性がある。その結果、医療手技の間、患者および手技部位を中心とする滅菌場の確立ならびに維持に、より多くの配慮が成されている。例えば、いくつかの医療施設は、要求医療従事者に、適切な滅菌場が確立されているかどうか、または適切な滅菌場が維持され得るかどうか等のある条件をチェックおよび二重チェックすることを要求する。これらの警告にもかかわらず、時として、各条件をチェックおよび二重チェックすることを忘れないようにすることが困難であり得る。さらに、いくつかの現在既存の機器では、滅菌場を維持することが困難であり得る。
【０００３】
医療手技の間、滅菌場の汚染を低減させるように構成される、医療用ドレープを有することが有利となるであろう。
【発明の概要】
【課題を解決するための手段】
【０００４】
本明細書に説明される本発明の実施形態は、患者ドレープおよび半径方向ドレープ取着部を含む、医療用ドレープを伴う、モジュール式配列に構成される。患者ドレープは、一実施形態では、不透明であって、患者を覆った留置のために構成される。半径方向ドレープ取着部は、患者ドレープに取着させる、接着剤または他の連結部を具備する。半径方向ドレープ取着部は、患者ドレープに対して任意の半径方向整合において、患者ドレープの周縁を越えて延在するように、患者ドレープに取着されることができる。１つ以上の実施形態では、半径方向ドレープ取着部は、患者ドレープの真下から突出する患者の腕を被覆するように、患者ドレープに連結される。組み合わせられた患者ドレープ／半径方向ドレープ取着部は、したがって、医療用ドレープの患者側に滅菌場を完全に維持しながら、カテーテル挿入を可能にする。
【図面の簡単な説明】
【０００５】
【図１】図１は、本発明の１つ以上の実施形態に従って構成される、患者ドレープの一実施形態を図示する。
【図２】図２は、本発明の１つ以上の実施形態に従って構成される、ある半径方向ドレープ取着部の非患者側を図示する。
【図３】図３は、本発明の１つ以上の実施形態に従って構成される、ある半径方向ドレープ取着部の患者側を図示する。
【図４】図４は、本発明の１つ以上の実施形態に従って構成される、患者ドレープおよび半径方向ドレープ取着部を有する、ある医療用ドレープを図示する。
【図５】図５−８は、本発明の１つ以上の実施形態に従って構成される、代替半径方向ドレープ取着部を図示する。
【図６】図５−８は、本発明の１つ以上の実施形態に従って構成される、代替半径方向ドレープ取着部を図示する。
【図７】図５−８は、本発明の１つ以上の実施形態に従って構成される、代替半径方向ドレープ取着部を図示する。
【図８】図５−８は、本発明の１つ以上の実施形態に従って構成される、代替半径方向ドレープ取着部を図示する。
【図９】図９−１６は、本発明の１つ以上の実施形態に従って構成される、流体収集パウチを有する、種々の半径方向ドレープ取着部を図示する。
【図１０】図９−１６は、本発明の１つ以上の実施形態に従って構成される、流体収集パウチを有する、種々の半径方向ドレープ取着部を図示する。
【図１１】図９−１６は、本発明の１つ以上の実施形態に従って構成される、流体収集パウチを有する、種々の半径方向ドレープ取着部を図示する。
【図１２】図９−１６は、本発明の１つ以上の実施形態に従って構成される、流体収集パウチを有する、種々の半径方向ドレープ取着部を図示する。
【図１３】図９−１６は、本発明の１つ以上の実施形態に従って構成される、流体収集パウチを有する、種々の半径方向ドレープ取着部を図示する。
【図１４】図９−１６は、本発明の１つ以上の実施形態に従って構成される、流体収集パウチを有する、種々の半径方向ドレープ取着部を図示する。
【図１５】図９−１６は、本発明の１つ以上の実施形態に従って構成される、流体収集パウチを有する、種々の半径方向ドレープ取着部を図示する。
【図１６】図９−１６は、本発明の１つ以上の実施形態に従って構成される、流体収集パウチを有する、種々の半径方向ドレープ取着部を図示する。
【図１７】図１７は、本発明の１つ以上の実施形態に従って構成される、１つ以上の医療用ドレープと併用するために好適なある例証的工具を必要としない除去特徴を図示する。
【図１８】図１８および１９は、それぞれ、本発明の実施形態に従って構成される、１つ以上のドレープと併用するための、好適であるが、随意である、ある例証的埋め込まれた止血帯の斜視図および側面図を図示する。
【図１９】図１８および１９は、それぞれ、本発明の実施形態に従って構成される、１つ以上のドレープと併用するための、好適であるが、随意である、ある例証的埋め込まれた止血帯の斜視図および側面図を図示する。
【図２０】図２０は、本発明の実施形態による、１つ以上のドレープと随意に併用するために構成される、別の例証的埋め込まれた止血帯を図示する。
【図２１】図２１は、末梢部に挿入される中心カテーテル手技の間に使用されるように本発明の実施形態に従って構成される、医療用ドレープの一実施形態を図示する。
【図２２】図２２は、本発明の１つ以上の実施形態に従って構成される、医療用ドレープを使用する方法を図示する。
【発明を実施するための形態】
【０００６】
当業者は、図中の要素が、便宜上かつ明確にするために図示され、必ずしも、正確な縮尺で描かれていないことを理解するであろう。例えば、図中の要素のいくつかの寸法は、本発明の実施形態の理解の向上に役立てるために、他の要素に対して誇張され得る。
【０００７】
次に、本発明の実施形態が、詳細に説明される。図面を参照すると、類似番号は、図面全体を通して、類似部品を示す。本明細書の説明および請求項全体を通して使用されるように、以下の用語は、本明細書に明示的に関連付けられた意味をとり、文脈によって明確に別様に示されない限り、「ａ」、「ａｎ」、および「ｔｈｅ」の意味は、複数参照を含み、「ｉｎ」の意味は、「ｉｎ」および「ｏｎ」を含む。第１および第２、上部および底部、ならびに同等物等の関連用語は、１つの実体または作用を別の実体または作用と区別するためだけに使用され得、必ずしも、そのような実体または作用間のいかなる実際のそのような関係または順序も要求あるいは含意しない。また、括弧内において、本明細書で示される参照符号は、議論中のもの以外の図中に示される構成要素を示す。例えば、図Ａに関して論じながら、デバイス（１０）に関して話す場合、図Ａ以外の図に示される要素１０を参照するであろう。
【０００８】
中心カテーテルは、医療従事者が、流体、染料、または薬剤を患者に送達し得る、大静脈内に留置される、カテーテルである。例えば、血管造影手技の間、医療従事者は、中心カテーテルを動脈または静脈内に挿入するであろう。カテーテルは、次いで、患者内の適切な面積に指向される。特殊染料が、次いで、循環系が放射線カメラに可視となるように、脈管内に注入される。
【０００９】
中心カテーテルはまた、試験のために、血液等の流体を採取するために使用されることができる。中心カテーテルは、患者の種々の部分内に挿入されることができる。血管造影の間、カテーテルは、大腿動脈または静脈等の鼠径部近傍の血管内に挿入されることができるが、また、腕の脈管内に留置されることもできる。腕の脈管内への留置は、カテーテルが誘導されなければならない経路が、腕から心臓までの方が、鼠径部から心臓までより短いため、心臓を中心とする循環系を研究する血管造影手技において有利であり得る。腕内に挿入される中心カテーテルは、概して、「末梢部に」挿入される中心カテーテルとして知られる。末梢部に挿入される中心カテーテルは、血管造影等の診断手技のために、患者の腕内に留置されることができる。末梢部に挿入される中心カテーテルはまた、患者の腕内に留置され、長期抗生剤治療、化学療法の間等、長期静脈内アクセスを可能にすることができる。前者の場合、挿入は、一時的である。後者の場合、末梢部に挿入される中心カテーテルは、６週間から１年に及ぶ期間の間、患者の腕内の定位置に残され得る。
【００１０】
末梢部に挿入される中心カテーテル手技を含む、カテーテル挿入手技は、概して、カテーテル挿入を専門とする医療従事者によって、ベッドサイドまたは診断検査室において行なわれる。医療従事者は、多くの場合、専門の訓練を受けた看護士である。ベッドサイド挿入に対する例外の１つは、血管造影等の放射線手技の間に生じるものであって、その場合、カテーテルは、医師によって誘導および挿入される。
【００１１】
カテーテルを挿入する人物または挿入される場所にかかわらず、血流感染症は、継続的懸念の対象である。半恒久的ベースであり得る、患者の静脈内への異物の挿入は、細菌または他の微生物が、中心カテーテルおよび末梢部に挿入される中心カテーテル挿入手技の間、血流中に導入されるリスクと関連付けられることは、容易に理解されるであろう。研究によって、そのような感染症は、死亡の原因となり得ることが示されている。これらの感染症の最大の割合は、カテーテル挿入時に生じている。
【００１２】
これに対処するために、一部の医療提供者は、外科手術において使用されるものに類似する、カテーテル挿入手技要件の発令を開始している。例えば、カテーテル挿入専門家は、手術室に入室する場合と同様に、髪用被覆、マスク、手袋、足用被覆、および全身滅菌外科手術用ガウンを着用しなければならない。そのような手技はまた、患者も、従来の医療用ドレープによって被覆されることを要求する。そのような手技は、中心ラインの挿入に先立って、最大障壁環境が確立されることを保証するよう試みるものである。
【００１３】
手技は、有益であるが、２つの理由から、中心ライン手技の間、血流感染症を防止するために不十分である。第１に、多くの場合、ライン留置を行なう医療従事者が、手術の間に使用される「外科手術」実践および無菌技法を熟知していない場合がある。換言すると、中心カテーテル挿入従事者は、概して、手術室内で作業をしない、したがって、多くの場合、手術室手技に慣れていない。故に、そのような従事者は、したがって、多くの場合、止血帯を結ぶ正しいステップおよび患者をドレーブで覆うべきときを含む、ある技法の理解を欠いている。これらの欠点は、無菌技法を妨害し得る。例えば、止血帯を早く結びすぎることは、患者に損傷を及ぼし得る。それでもなお、カテーテル挿入では、手技は、多くの場合、依然として、医療従事者が前述の機器を装着する前である、滅菌場が生成される前に、止血帯が結ばれることを提案する。したがって、いくつかの医療従事者は、中心ライン挿入手技において要求される止血帯を早く適用しようとし得る。
【００１４】
第２の問題は、チームではなく、たった１人で、概して、中心カテーテルおよび末梢部に挿入される中心カテーテルを挿入することである。その結果、挿入専門家は、多くのアイテムを操作し、多くの複雑なステップを行い、従来の機器およびドレープを使用して、滅菌場を確保しなければならない。先行技術ドレープの用途は、滅菌場が損なわれることを防止するために、好くなとも２人を要求する。１人で、カテーテル挿入手技において、ドレープを適用するよう試みると、手技のために要求され得る、いかなる滅菌場も損なうリスクに曝される。
【００１５】
本発明の実施形態は、中心カテーテル挿入専用に構成される、全身手技用ドレープを提供することによって、両問題を解決するように作用する。末梢部に挿入される中心カテーテルは、例証的用途として、以下で使用されるが、本発明がそのように限定されないことが、本開示の利益を有する当業者には、明白となるであろう。以下に説明される構成要素の若干の移動および再配置等の本明細書に説明されるドレープの細かい修正は、本発明の実施形態に従って構成されるドレープが、種々の中心ラインまたはカテーテル留置手技のために容易に使用されることを可能にするであろう。
【００１６】
先行技術設計と比較して、本発明の実施形態によってもたらされる利点は、医療従事者が、より容易にドレープを適用、使用、および除去することを支援することを含む。加えて、いくつかの実施形態は、カテーテル挿入手技の間に使用される、止血帯の適用を補助する。以下に説明されるドレープアセンブリは、適切な無菌技法を確保するために役立つ。これらはまた、患者内に挿入されたカテーテルの完全性を損なわずに、ドレープを除去することを支援する。本発明の実施形態によってもたらされる重要な付加的利点は、以下に説明されるドレープが、患者を中心とした滅菌場を損なわずに、たった１人で、適用されることができることである。
【００１７】
以下に説明される実施形態は、全身ドレープとして作用し、１人で容易に開放および適用できる、末梢部に挿入される中心カテーテルおよび他の手技において使用するために好適な医療用ドレープを提供する。加えて、以下に説明される医療用ドレープは、患者の右または左腕と併用するために汎用的に構成されることができる。完全に不透明である、従来のドレープとは対照的に、以下に説明される実施形態は、透光性部分を有する、半径方向ドレープ取着部を含む。透光性部分は、医療従事者が、止血帯の優れた適用および除去ならびにカテーテルの優れた挿入のために、半径方向ドレープ取着部を通して、患者の腕を確認することを可能にする。
【００１８】
いくつかの実施形態は、半径方向ドレープ取着部内に統合される、止血帯を含む。含まれる場合、一体型止血帯は、医療従事者が、先行技術設計の場合のように、不透明ドレープの真下にある止血帯を「探し回る」のを防止する。止血帯は、スナップ係止デバイスまたはバックル式閉鎖具等のドレープの患者側に閉鎖デバイスを含むことができる。
【００１９】
１つ以上の実施形態では、医療用ドレープの半径方向ドレープ取着部は、ドレープ構成要素が、手技の終了時に容易に除去されることを可能にする、工具を必要としない除去特徴を含む。工具を必要としない除去特徴は、半径方向ドレープ取着部が、挿入部位から「分断」し、それによって、残りのカテーテルラインの偶発的牽引または引張を防止する。
【００２０】
次に、図１−３を参照すると、ここに図示されるのは、本発明の１つ以上の実施形態に従って構成され、末梢部に挿入される中心カテーテルおよび他のカテーテル留置手技のために好適である、医療用ドレープの一実施形態である。図１は、患者ドレープ１００の平面図を図示する一方、図２および３は、半径方向ドレープ取着部２００の平面図を図示する。図１および２は、それぞれ、患者ドレープ１００および半径方向ドレープ取着部２００の「非患者」または「医療従事者」側を図示する一方、図３は、半径方向ドレープ取着部２００の「患者側」の平面図を図示する。図３の側は、医療用ドレープが、カテーテル挿入手技において使用されるとき、患者に接触するであろう側であるため、「患者側」と称される。医療用ドレープは、複数の構成要素、すなわち、患者ドレープ１００および半径方向ドレープ取着部２００を備える、モジュール式である。
【００２１】
図１から開始すると、患者ドレープ１００は、少なくとも、患者の胴体部分を覆うように構成される。概して、これらの胴体部分は、少なくとも、患者の首部分の下方となるであろう。１つ以上の実施形態では、患者ドレープ１００は、不透明である。例えば、患者ドレープ１００は、４５ｇのスパンボンド／メルトブロー／スパンボンド材料から製造されることができる。スパンボンド／メルトブロー／スパンボンド法（ＳＭＳ）、スパンボンド／メルトブロー／メルトブロー／スパンボンド法（ＳＭＭＳ）、およびスパンボンド／メルトブロー／メルトブロー／スパンボンド法（ＳＭＭＭＳ）を含む、種々の方法を使用して、例えば、種々の織布、不織布、水流絡合材料、および／またはそれらの組み合わせ、吸収性Ａｉｒｌａｉｄ、水刺不織布、ポリエステル混成物、ポリプロピレン、ポリエチレン、ウレタン、および／またはそれらの組み合わせを含む、他の材料も、患者ドレープ１００のために使用されることができる。そのような材料の供給者として、Ｃａｒｄｉｎａｌ  Ｈｅａｌｔｈ（Ｄｕｂｌｉｎ，  Ｏｈｉｏ）、Ｋｉｍｂｅｒｌｙ  Ｃｌａｒｋ（Ｎｅｅｎａ，  Ｗｉｓｃｏｎｓｉｎ）、Ｍｏｌｎｙｃｋｅ  Ｈｅａｌｔｈ  Ｃａｒｅ（Ｎｅｗｔｏｗｎ，  Ｐｅｎｎｓｙｌｖａｎｉａ）、およびＰｒｅｃｅｐｔ  Ｍｅｄｉｃａｌ  Ｐｒｏｄｕｃｔｓ，  Ｉｎｃ．（Ａｒｄｅｎ，  Ｎｏｒｔｈ  Ｃａｒｏｌｉｎａ）が挙げられる。これらの材料および方法は、例証にすぎず、その他も、本開示の利益を有する当業者には、容易に明白となるであろう。例えば、１つ以上の抗菌性層が、追加され、抗菌性保護をさらに向上させることができる。加えて、材料は、随意に、材料を通した流体の通過を防止する、防水裏地を含むことができる。
【００２２】
１つ以上の実施形態では、患者ドレープ１００は、約１０４インチ±１インチ等、９５〜１１０インチの長さ１１６を有する。一実施形態では、患者ドレープは、６４インチ±１インチの幅１１５を有する。用語「約」とは、製造公差を含む測定値を指すために使用される。故に、製造公差が±１インチである場合、１０４．５および１０３．１インチは両方とも、「約」１０４インチとなるであろう。
【００２３】
ある用途では、患者ドレープ１００は、特定の医療手技のために設計される、随意の切開特徴１０２とともに構成されることができる。切開特徴１０２は、開口であってもよい。他の実施形態では、切開特徴１０２は、患者ドレープ１００内に開口を形成するために開放され得る、穿孔であってもよい。例えば、患者ドレープ１００が、血管形成手技において使用される場合、一対の切開特徴１０２は、患者ドレープ１００が患者の上部に留置されるとき、患者の鼠径部の上方に位置するような場所に配置されてもよい。本場所は、血管形成手技の間、患者の大腿動脈または静脈へのアクセスを提供するであろう。切開特徴１０２の含有は、随意であることが、本開示の利益を有する当業者には、明白となるであろう。さらに、含まれる場合、切開特徴１０２の数および場所は、用途に基づいて変動し得る。
【００２４】
図２および３は、半径方向ドレープ取着部２００を図示する。半径方向ドレープ取着部２００は、一実施形態では、半径方向ドレープ取着部層２０１および接着連結部２０２を含む。図２および３の例証的実施形態では、半径方向ドレープ取着部層２０１は、透光性であって、半径方向ドレープ取着部２００の透光性部分を形成する。例えば、半径方向ドレープ取着部層２０１は、０．０６５ミリメートルのクリアポリエチレンから製造されることができる。半径方向ドレープ取着部層２０１はまた、半透明または透明であることができる。例えば、透光性実施形態では、半径方向ドレープ取着部層２０１は、クリアな０．０５ｍｍポリエチレンシートから製造されることができる。他のクリアかつ可撓性の材料も、ポリエチレンの代わりに、使用されることができることに留意されたい。接着連結部２０２は、本例証的実施形態では、透光性部分に取着される。
【００２５】
一実施形態では、接着連結部２０２は、２インチの幅を伴う、接着テープの層である。接着テープの接着部分は、半径方向ドレープ取着部２０１の患者側層上に配置される。接着部分は、剥離可能被覆で被覆されることができる。半径方向ドレープ取着部２００が、使用の準備ができると、剥離可能被覆は、接着材料を露出するために除去されることができる。接着材料を患者ドレープ１００に対して押圧することによって、半径方向ドレープ取着部２００を患者ドレープ１００に連結させる。他の連結デバイスも、接着連結部２０２のために使用され得ることが、本開示の利益を有する当業者には、明白となるであろう。実施例として、マジックテープ（登録商標）締結具、機械的金具、または他の締結具が挙げられる。接着連結部２０２は、半径方向ドレープ取着部２００を患者ドレープ１００に取着するためだけに構成される必要がある。
【００２６】
図３を簡単に参照すると、ここに図示されるのは、半径方向ドレープ取着部２００の接着連結部２０２が、患者ドレープ１００に連結された時に形成される、医療用ドレープ３００である。接着連結部２０２は、カテーテル挿入手技の間、半径方向ドレープ取着部２００を患者ドレープ１００に接着する。医療用ドレープ３００のモジュール式性質は、半径方向ドレープ取着部２００が、任意の半径方向整合において、患者ドレープ１００に接着されることを可能にすることに留意されたい。換言すると、医療サービス提供者は、患者ドレープ１００に沿った任意の点において、かつ患者ドレープ１００に対して任意の半径方向整合３０１において、接着連結部２０２を取着することができる。これは、医療用ドレープ３００を完全にカスタマイズ可能にする。さらに、医療用ドレープ３００の幾何学的構成は、患者の身体形状、手技の間の位置、または行なわれる手技に基づいて、選択されることができる。接着連結部２０２が、剥離可能接着剤を備える場合、半径方向ドレープ取着部２００は、同様に、必要に応じて、再位置付けされることができる。本モジュール式配列は、医療用ドレープ３００の全体的構成が、患者毎および手技毎に変動し得るという点において、先行技術ドレープより優れた個別の利点をもたらす。
【００２７】
図２および３に戻って参照すると、半径方向ドレープ取着部層２０１を透明、半透明、または透光性であるように構成することは、先行技術ドレープより優れたいくつかの付加的利点をもたらすことに留意されたい。第１に、挿入専門家が、挿入手技の間、挿入部位を確認することを可能にする。第２に、挿入専門家が、カテーテルが挿入される四肢を監視することを可能にする。挿入専門家は、例えば、手技上の合併症を示し得る、四肢の色変化を見ることができる。第３に、止血帯が使用されるとき、多くの場合、末梢部に挿入される中心カテーテルの場合に当てはまるように、半径方向ドレープ取着部層２０１の透明または透光性性質は、挿入従事者が、止血帯を迅速に見つけ、それを使用することを可能にする。
【００２８】
１つ以上の実施形態では、半径方向ドレープ取着部２００は、医療手技のために構成される、１つ以上の開口を含む。例えば、図２および３の例証的半径方向ドレープ取着部２００は、中心カテーテル挿入部位を覆う流体のために構成される、穿孔２０５を含む。穿孔２０５は、１つ以上の実施形態では、開口部または潜在的開口を画定する、半径方向ドレープ取着部２００内の穿孔として構成されることができる。穿孔２０５は、一実施形態では、半径方向ドレープ取着部２００が、患者ドレープ１００に連結され、患者の上部に配置される、医療用ドレープ３００を形成するとき、末梢部に挿入される中心カテーテルが、穿孔２０５を通して挿入されることを可能にするように構成される。穿孔２０５または複数の穿孔は、同様に、他の医療手技にも対応するように構成され得る。
【００２９】
１つ以上の実施形態では、支持層が、穿孔２０５を中心として配置される。図２および３の例証的実施形態では、支持要素は、吸収性材料から製造され、穿孔２０５を中心として配置される、吸収性要素２０７を備える。本例証的実施形態では、吸収性要素２０７は、実質的に、Ｕ−形状面積を有し、接着連結部２０２と反対の側の穿孔２０５を中心として留置される。吸収性要素２０７は、カテーテル留置手技の間に存在し得る、血液等の流体を吸収するように構成される、ガーゼ状、不織布吸収性材料、または他の吸収性材料であることができる。
【００３０】
一実施形態では、吸収性要素２０７は、半径方向ドレープ取着部層２０１の所定の最小面積２５１が、吸収性要素２０７と穿孔２０５との間に配置されるように配列される。本例証的実施形態では、所定の最小面積２５１は、３辺において、穿孔２０５を中心として通過する、１．５インチ幅の細片である。本実施例では、透光性である、半径方向ドレープ取着部層２０１の所定の最小面積２５１は、種々の用途において有用であり得る。例えば、血管形成用途では、超音波技術者は、半径方向ドレープ取着部２００を通して、患者の四肢を確認する必要があり得る。吸収性要素２０７が、穿孔２０５まで延在する場合、これは、不可能である。しかしながら、所定の最小面積２５１が、含まれるとき、半径方向ドレープ取着部２００の真下に配置された患者の四肢は、上方から可視となる。
【００３１】
１つ以上の実施形態では、必要とされるまで、穿孔２０５を閉鎖したまま維持するために、剥離可能被覆３０２が、穿孔２０５を覆って取着されてもよい。本例証的実施形態では、剥離可能被覆３０２は、穿孔２０５を横断して、半径方向ドレープ取着部２００の患者側に添着される、従来の医療剥離紙を含む。剥離可能被覆３０２を半径方向ドレープ取着部２００に添着するために好適な手段の１つは、接着テープの区画３０３を伴うことである。接着テープは、製品番号１５２１として３Ｍ（Ｓｔ．  Ｐａｕｌ，  ＭＮ）によって製造された医療用テープ等の単一のコーティングされたポリエチレン医療用テープであることができる。３Ｍ医療用テープ１５２１は、透光性ポリエチレンを含み、低刺激性、感圧式アクリル接着剤でコーティングされ、かつシリコーン処理され、さらしクラフト紙剥離ライナとともに、片側のみコーティングされたポリエチレンである、ライナを含む、マット仕上げを有する、単一のコーティングされたテープである。３Ｍ医療用テープは、テープ厚６．４ミル（０．１６ｍｍ）のポリエチレンフィルムテープと、５．０ミル（０．１３ｍｍ）半透明ポリエチレンフィルムの裏地と、アクリル接着剤（医療／外科手術用途のために設計）と、片側にシリコーン（６ミル／０．１５ｍｍ）を伴う、８３ｌｂのポリエチレンでコーティングされたクラフト紙の剥離ライナとを有する。３Ｍ医療用テープ１５２１の鋼鉄への接着力は、２１オンス／インチ幅（０．６ｋｇ／２５ｍｍ幅）である。３Ｍおよび／または他の製造業者によって製造された他の好適な医療用テープも、同様に使用されてもよい。例えば、接着テープが、両面である場合、テープはまた、一時的に、半径方向ドレープ取着部２００を患者に取着するために使用されることができる。これは、挿入専門家に、半径方向ドレープ取着部２００を定位置に継続的に保持することを要求することなく、穿孔２０５が挿入部位を覆ったままであることを保証する。
【００３２】
１つ以上の実施形態では、半径方向ドレープ取着部２００をより容易に除去するために、工具を必要としない除去特徴２０９が、半径方向ドレープ取着部２００に組み込まれることができる。工具を必要としない除去特徴の一実施例は、発明者Ｆｒｅｄ  Ｌ．Ａｌｌｅｎによって２００８年８月８日に出願された、本発明の譲受人に譲渡された、同時係属中の特許出願第ＵＳＳＮ１２／１８８，９３１号「Ｚｉｐ  Ｓｔｒｉｐ  Ｄｒａｐｉｎｇ  Ｓｙｓｔｅｍ  ａｎｄ  Ｍｅｔｈｏｄｓ  ｏｆ  Ｍａｎｕｆａｃｔｕｒｉｎｇ  Ｓａｍｅ」に説明され、参照することによって本明細書に組み込まれる。
【００３３】
一実施形態では、以下の図１７を参照してより詳細に説明される、工具を必要としない除去特徴２０９として、ドレープ切れ目、接着テープ細片、および切り込み線が挙げられ、それぞれ、半径方向ドレープ取着部２００の縁２１１から穿孔２０５に延在する。図２および３の例証的実施形態では、工具を必要としない除去特徴２０９は、半径方向ドレープ取着部２００の縁２１１から、吸収性要素２０７を横断して、および半径方向ドレープ取着部層２０１の所定の最小面積２５１を横断して、穿孔２０５まで延在する。換言すると、ドレープ切れ目、接着テープ細片、および切り込み線は、縁、例えば、縁２１１から開始し、半径方向ドレープ取着部層２０１に沿って、開口、例えば、穿孔２０５まで通過することができる。
【００３４】
接着テープ細片は、ドレープ切れ目の長さに沿って位置付けられ、ドレープ切れ目の両側において、半径方向ドレープ取着部層２０１の一部に重複し、最初は、接しているドレープ切れ目側をともに固着させる。切り込み線は、接着テープ細片の容易な引裂をもたらし、ドレープ切れ目を開放させる。工具を必要としない除去特徴２０９の使用は、半径方向ドレープ取着部２００が、カテーテルを妨害せずに、穿孔２０５を通して留置されたカテーテルの周囲において除去されることを可能にする。
【００３５】
１つ以上の実施形態では、医療従事者に、工具を必要としない除去特徴２０９の開放を開始すべき場所を示すために、図２の拡大図２５０に示される、インジケータ２１３が、半径方向ドレープ取着部２００の縁２１１に配置されることができる。換言すると、インジケータ２１３は、工具を必要としない除去特徴２０９の開始点を示すために含まれることができる。インジケータ２１３は、「ここを引き裂く」または「ここをめくる」等の言葉による命令表示を含んでもよい。インジケータ２１３は、従事者に、インジケータ要素を把持し、引き離し、切り込み線に沿って、接着テープ細片を引き裂くように指示する。これは、従事者が、挿入されるカテーテルまたは中心ラインを中心として、半径方向ドレープ取着部層２０１を「剥がす」ことを可能にする。
【００３６】
次に、末梢部に挿入される中心カテーテル用途において使用するために好適な一実施形態をさらに説明するために、例証的寸法が、提供される。これらの寸法は、実施例にすぎず、一実施形態のより明確なイメージを提示するために提供され、用途または顧客の需要に基づいて、容易に修正されることができることが、本開示の利益を有する当業者には、明白となるであろう。
【００３７】
一実施形態では、半径方向ドレープ取着部２００は、４８インチ±１インチの長さ１１８を有する。一実施形態では、半径方向ドレープ取着部２００は、４６インチ±１インチの幅２５３を有する。
【００３８】
図２および３の例証的実施形態では、吸収性要素２０７の幅２２０は、約２０インチである。吸収性要素２０７の長さ２２１は、約２０インチである。吸収性要素２０７は、穿孔２０５の中心から約１０インチの距離２２２に延在する。吸収性要素２０７のＵ−形状の「腕」は、約１０インチの幅２２３を有する。吸収性要素２０７のＵ−形状の中心は、約１０インチの距離２２４である。剥離可能被覆３０２の幅２２５は、約７インチである。これらの例証的寸法は、限定を意図するものではなく、代わりに、カテーテル挿入手技のために好適な一式の寸法の実施例を提供するために含まれる。
【００３９】
次に、図５を参照すると、ここに図示されるのは、本発明の実施形態による、患者ドレープ（１００）に取着し、医療用ドレープを形成するために好適な代替半径方向ドレープ取着部５００である。図２および３の半径方向ドレープ取着部（２００）と同様に、半径方向ドレープ取着部５００は、半径方向ドレープ取着部層５０１および接着連結部５０２を含む。図５の半径方向ドレープ取着部層５０１は、透明である。接着連結部５０２は、本例証的実施形態では、半径方向ドレープ取着部層５０１の透明部分に取着される。暴露された接着連結部５０２を患者ドレープ（１００）に圧接することによって、半径方向ドレープ取着部５００を患者ドレープ（１００）に連結し、医療用ドレープを形成する。
【００４０】
また、図２および３と同様に、図５の半径方向ドレープ取着部５００は、中心カテーテル挿入部位を覆う流体のため等、医療手技のために構成される開口５０５を含む。半径方向ドレープ取着部５００を患者からより容易に除去するために、工具を必要としない除去特徴５０９が、半径方向ドレープ取着部５００内に組み込まれる。
【００４１】
図５の半径方向ドレープ取着部５００は、支持層５０７だけ、前述の実施形態と異なる。図５の実施形態では、支持層５０７は、流体不浸透性材料を備える。吸収性層もまた、同様に、支持層５０７内に統合されることができる。支持層５０７は、前述のように、Ｕ−形状を有するのではなく、開口５０５を中心として、完全に配置される。支持層５０７は、半径方向ドレープ取着部層５０１のための補強構造を提供し、流体または他の材料が、半径方向ドレープ取着部５００を通過しないことを保証するのに役立つ。
【００４２】
図６を参照すると、ここに図示されるのは、別の半径方向ドレープ取着部６００である。本例証的実施形態では、半径方向ドレープ取着部層６０１は、２つの区画に二分される。第１の区画６５０は、透光性である一方、第２の区画６５２は、不透明である。例えば、第１の区画６５０は、クリアポリエチレンから製造されることができる一方、第２の区画６５１は、スパンボンド／メルトブロー／スパンボンド材料等の不透明材料から製造される。不透明な第２の区画６５１は、挿入専門家が、穿孔６０５を通して以外、患者の四肢を確認することを防止するが、透光性の第１の区画６５０は、挿入専門家が、半径方向ドレープ取着部６００を操作せずに、患者の指内の循環を確認することを可能にする。
【００４３】
第２の区画６５１は、第１の区画６５０と接着連結部６０２との間に配置される。これは、接着連結部６０２が、半径方向ドレープ取着部の不透明部分６００に連結され、穿孔６０５が、図５における場合のように、透光性部分に沿ってではなく、半径方向ドレープ取着部層の不透明部分６０１に沿って配置されることをもたらす。本半径方向ドレープ取着部６００は、同様に、工具を必要としない除去特徴５０９を含む。本実施形態の支持層６０７は、非患者側の吸収性特性および底面の流体不浸透性裏地を有する、組み合わせられた吸収性／流体不浸透性材料である。
【００４４】
全ての半径方向ドレープ取着部が、工具を必要としない除去特徴を含む必要はない。図７を参照すると、ここに図示されるのは、図５に示されるものに類似するが、工具を必要としない除去特徴を伴わない、半径方向ドレープ取着部７００である。図８は、図６に示されるものに類似するが、工具を必要としない除去特徴を伴わない、半径方向ドレープ取着部８００を図示する。
【００４５】
図７は、ある説明実施形態のためのいくつかの例証的寸法を提供する。これらの寸法は、本開示の精神および範囲から逸脱することなく、変動され得ることを理解されたい。長さ７０２は、一実施形態では、４８インチ±１インチである。幅７０１は、４６インチ±１インチである。接着連結部は、２インチ幅の両面テープの一方の細片として構成されることができる。
【００４６】
長さ７０３は、一実施形態では、１０インチである一方、長さ７０４は、１２インチである。長さ７０５は、一実施形態では、２０インチである一方、長さ７０６は、１８インチである。長さ７０７は、一実施形態では、１３インチである一方、長さ７０８は、２０インチである。長さ７０９は、８インチであることができる。他の用途に好適な他の寸法も、本開示の利益を有する当業者には、明白となるであろう。
【００４７】
１つ以上の実施形態では、パウチが、半径方向ドレープ取着部に沿って、統合されることができる。一実施形態では、パウチは、医療手技の間、小型工具または医療用具を一時的に格納するために有用であり得る。他の実施形態では、パウチは、半径方向ドレープ取着部の表面に沿って通過する流体を捕捉するように構成することができる。流体の捕捉は、床に流動し、滑りやすい状態をもたらし、誰かが転倒する確率を増加させ得ないように防止するという点において有利であり得る。
【００４８】
次に、図９−１２を参照すると、ここに図示されるのは、穿孔９０５、１００５、１１０５、１２０５を中心として、半径方向ドレープ取着部９００、１０００、１１００、１２００に沿って配置されるパウチ９０１、９０２、１００１、１００２、１１０１、１１０２、１２０１、１２０２を有する、半径方向ドレープ取着部９００、１０００、１１００、１２００である。これらのパウチ９０１、９０２、１００１、１００２、１１０１、１１０２、１２０１、１２０２は、各半径方向ドレープ取着部９００、１０００、１１００、１２００の支持層９０７、１００７、１１０７、１２０７の上部に配置される。パウチ９０１、９０２、１００１、１００２、１１０１、１１０２、１２０１、１２０２はそれぞれ、開放されている穿孔９０５、１００５、１１０５、１２０５に向いている側９０３、９０４、１００３、１００４、１１０３、１１０４、１２０３、１２０４を含む。各パウチ９０１、９０２、１００１、１００２、１１０１、１１０２、１２０１、１２０２の残りの側は、半径方向ドレープ取着部９００、１０００、１１００、１２００に取着され、それによって、閉鎖される。
【００４９】
図９の半径方向ドレープ取着部９００は、図６に示されるものに類似する。しかしながら、２つのパウチ９０１、９０２が、工具を必要としない除去特徴９０９の両側に配置される。第１のパウチ９０１は、工具を必要としない除去特徴の第１の側９０９に配置される一方、第２のパウチ９０２は、工具を必要としない除去特徴９０９の第２の側に配置される。図１０の半径方向ドレープ取着部１０００は、図７に示されるものに類似する。しかしながら、２つのパウチ１００１、１００２が、工具を必要としない除去特徴１００９の両側に配置される。第１のパウチ１００１は、工具を必要としない除去特徴の第１の側１００９に配置される一方、第２のパウチ１００２は、工具を必要としない除去特徴１００９の第２の側に配置される。一実施形態では、第１のパウチ１００１および第２のパウチ１００２は、約５インチの幅を有し、１インチの距離だけ、支持層１００７から分離されることができる。図７の議論に記載されるように、第１のパウチ１００１および第２のパウチ１００２は、約２０インチの長さであることができる。
【００５０】
図１１および１２の半径方向ドレープ取着部１１００、１２００は、それぞれ、図７および８に示されるものに類似する。しかしながら、パウチ１１０１、１１０２、１２０１、１２０２が、穿孔１１０５、１２０５の両側に配置される。
【００５１】
図９−１２に示されるパウチは、形状および留置とも、例証にすぎないことに留意されたい。他の形状および留置もまた、可能であることが、本開示の利益を有する当業者には、明白となるであろう。例えば、図１３を参照すると、ここに図示されるのは、半径方向ドレープ取着部１３００であって、パウチ１３０１、１３０２は、三角形形状である。患者が、仰向けになっているとき、接着連結部１３３２が患者の胸部に沿って、患者ドレープ（１００）に連結されると仮定し、かつ半径方向ドレープ取着部１３００が、患者から離れ、下向きに延在される、腕を被覆していると仮定すると、パウチ１３０１、１３０２の三角形構成は、図９−１２のパウチ（９０１、９０２、１００１、１００２、１１０１、１１０２、１２０１、１２０２）より多くの流体を「捕捉」する傾向となるであろう。図１３の例証的実施形態では、第１のパウチ１３０１は、工具を必要としない除去特徴１３０９の第１の側に配置される一方、第２のパウチ１３０２は、工具を必要としない除去特徴１３０９の第２の側に配置される。図１３の「三角形」は、正三角形として例証的に示され、その斜辺１３０３、１３０４が、穿孔１３０５に向き、開口部を形成するように曲がっている。各パウチ１３０１、１３０２の残りの側は、閉鎖される。
【００５２】
図１４を参照すると、ここに図示されるのは、半径方向ドレープ取着部１４００であって、パウチ１４０１、１４０２は、「Ｌ」形状を有する。第１のパウチ１４０１は、工具を必要としない除去特徴１４０９の第１の側に配置される一方、第２のパウチ１４０２は、工具を必要としない除去特徴１４０９の第２の側に配置される。図１４の「Ｌ−形状」は、各「Ｌ」が、穿孔１４０５に向くように曲げられる。内部Ｌ−形状１４０３、１４０４は、開口部を形成し、各パウチ１４０１、１４０２の残りの側は、閉鎖される。
【００５３】
図１５を参照すると、ここに図示されるのは、代替パウチ形状である。パウチ１５０１は、支持層１５０７だけではなく、また、透光性領域１５００も同様に横断して通過する、Ｌ−形状である。内部Ｌ−形状１５０３は、穿孔１５０５に向き、開口部を形成し、パウチ１５０２の残りの側は、閉鎖される。パウチ１５０２は、曲線多角形として構成され、湾曲開口部１５０４が穿孔１５０５に向いている。
【００５４】
図１６を参照すると、ここに図示されるのは、別のパウチ形状である。パウチ１６０１は、Ｕ−形状であって、工具を必要としない除去特徴が、本半径方向ドレープ取着部１６００内に含まれないように、穿孔１６０５の３辺に沿って通過する。図１５同様に、パウチ１６０１は、支持層１６０７および透光性層１６６０の両方に沿って通過する。任意の数のパウチ形状、サイズ、および留置が、本発明の半径方向ドレープ取着部と併用されることができることが、本開示の利益を有する当業者には、明白となるであろう。例えば、曲線パウチおよび三角形パウチは、異なる場所で組み合わせて使用されることができる等である。
【００５５】
次に、図１７を参照すると、工具を必要としない除去特徴２０９の１つが、より詳細に示される。前述のように、一実施形態では、工具を必要としない除去特徴２０９は、接着テープ細片１７０１と、ドレープ切れ目１７０２と、切り込み線１７０３とを含む。接着テープ細片１７０１は、概して、第１の細片側１７０４および第２の細片側１７０５を含み、切り込み線１７０３に沿って接続される。切り込み線１７０３は、その長さに沿って、接着テープ細片１７０１を部分的に切断することによって、形成されることができる。したがって、第１の細片側１７０４は、第２の細片側１７０５から容易に分離され、ドレープ切れ目１７０２を開放することができる。ドレープ切れ目１７０２の固着に加え、接着テープ細片１７０１は、ドレープ切れ目１７０２を密閉し、半径方向ドレープ取着部２００の患者側に形成される滅菌場のいかなる侵害も防止する。
【００５６】
次に、図１８および１９を参照すると、ここに図示されるのは、本発明の実施形態に従って構成される、随意に、１つ以上の半径方向ドレープ取着部内に含まれ得る、代替特徴である。前述のように、末梢部に挿入される中心カテーテル手技は、多くの場合、止血帯を要求する。先行技術ドレープは、医療従事者が、不透明ドレープ下を探し回り、止血帯を盲目的に留置、適用、および取り外すことを要求した。図１８および１９は、本タスクを達成するように構成されるより有利な手段を図示する。
【００５７】
この目的を達成するために、図１８および１９は、半径方向ドレープ取着部層１８００と統合される、止血帯１８０１を図示する。例証的止血帯１８０１は、半径方向ドレープ取着部１８００の患者側層上に配置される、外筒１８０２を通して通過する。止血帯１８０１の端部１８０３、１８０４は、医療従事者によってアクセス可能であるように、非患者側に外向きに延在する。
【００５８】
外筒１８０２は、半径方向ドレープ取着部の患者側からの止血帯１８０１へのいかなるアクセスも防止する、密閉特徴１９０１、１９０２によって、半径方向ドレープ取着部層１８００内に統合されることができる。例えば、半径方向ドレープ取着部層１８００が、前述のように、ポリエチレンである場合、外筒１８０２もまた、同様に、ポリエチレンから作製されることができ、密閉特徴１９０１、１９０２は、超音波密閉等によって、一体的に形成される、熱可塑性材料から作製され、ポリエチレンは、湿気または他の材料が、止血帯１８０１に到達しないように防止する。これは、半径方向ドレープ取着部の患者側の滅菌場を保存する一方、非患者側における止血帯１８０１へのアクセスを提供する。
【００５９】
それが半径方向ドレープ取着部内に含まれる場合、患者は、ドレープで被覆されるときに、外筒１８０２を通してその腕を滑り込ませることができる。止血帯１８０１は、必要とされるまで、弛緩したままであることができる。止血帯１８０１はさらに、先行技術システムと関連付けられるような、探しまわったり、不確実性を伴ったりすることなく、必要に応じて、容易に適用および取り外されることができる。
【００６０】
次に、図２０を参照すると、ここに図示されるのは、随意に、本発明の実施形態に従って構成される、１つ以上の半径方向ドレープ取着部内に含まれ得る、別の代替特徴であって、それらの半径方向ドレープ取着部は、統合された止血帯２００１を含む。以下により詳細に説明されるように、本開示に従って構成される、半径方向ドレープ取着部の利点の１つは、たった１人で、容易に使用および除去されることができることである。これは、概して、滅菌場を保存するように適用するために、２人が要求される、先行技術ドレープとは対照的である。図２０の半径方向ドレープ取着部２０００は、止血帯２００１を二等分する、連結器２０６０を含むことによって、医療サービス提供者がたった１人で使用するための止血帯プロセスをさらに単純にする。故に、患者の腕を折り曲げ、それをループを通して滑り込ませる必要なく、医療サービス提供者は、半径方向ドレープ取着部２０００が、患者ドレープから延在されているとき、単に、患者の四肢を中心として、連結器２０６０を留めることが可能である。
【００６１】
図２０の例証的実施形態では、止血帯２００１は、半径方向ドレープ取着部２０００と統合される。止血帯２００１は、一実施形態では、透光性または透明部分内に位置することができる。止血帯２００１は、同様に、一実施形態では、不透明である、支持層に沿って位置することができる。例証的止血帯２００１は、半径方向ドレープ取着部の患者側に配置される、外筒２００２を通して通過する。半径方向ドレープ取着部２０００の患者側に配置される、連結器２０６０は、外筒２００２を二等分する。外筒６０２の第１の端部２０６１は、連結器６６０の第１の部分６６３に取着される一方、外筒２００２の第２の端部６６２は、連結器２０６０の第２の部分２０６４に取着される。一実施形態では、連結器２０６０は、連結器２０６０の第２の部分から延在するスナップ特徴２０６５を伴う、スナップ係止デバイスを備える。フックおよびラッチ連結器、スナップ連結器、バックル連結器等を含む、他のタイプの連結器２０６０もまた、使用され得る。止血帯２００１の端部２００３、２００４は、医療従事者によってアクセス可能であるように、半径方向ドレープ取着部２０００の非患者側に外向きに延在する。外筒２００２は、半径方向ドレープ取着部２０００の患者側からの止血帯２００１へのいかなるアクセスも防止する、密閉特徴２０７１、２０７２によって、半径方向ドレープ取着部２０００内に統合されることができる。
【００６２】
図２１を参照すると、患者２１６１は、本発明の実施形態に従って構成される、医療用ドレープ２１００で被覆されて示される。医療用ドレープ２１００は、半径方向ドレープ取着部２１０１および患者ドレープ２１０２を含む。半径方向ドレープ取着部２１０１は、接着連結部２１０３を患者ドレープ２１０２に対して圧接することによって、患者ドレープ２０１２に添着されている。半径方向ドレープ取着部２１０１は、患者ドレープ２１０２に対して、任意の角度で配向され得、かつ患者ドレープ２１０２の真下から外向きに延在する、任意の四肢を被覆するように構成することができるが、本例証的実施形態では、患者ドレープ２１０２の真下から外向きに延在される、患者の左腕２１６２を被覆するように、患者ドレープ２１０２と約９０度関係に配向されている。半径方向ドレープ取着部７０１は、患者２１６１の腕２１６２を覆って留置され、患者ドレープ２１０２は、患者２１６１の胴体部分を被覆する。
【００６３】
本例証的実施形態では、医療サービス提供者がカテーテルを挿入する穿孔として構成される、開口２１０４は、末梢部に挿入される中心カテーテル挿入部位２１６６を覆って留置されている。故に、末梢部に挿入される中心カテーテル２１６５は、開口２１０４を通して挿入されることができる。
【００６４】
本特定の医療用ドレープ２１００は、本例証では、半径方向ドレープ取着部２１０１内に統合される、止血帯２１４１を含む。止血帯２１４１は、本実施形態では、同様に、複合医療用ドレープ２１００の患者側にある、半径方向ドレープ取着部２１０１の患者側から、止血帯２１４１の端部にアクセスすることによって、結ばれている。止血帯２１４１は、医療用ドレープ２１００の患者側の半径方向ドレープ取着部２１０１と統合されている外筒を通して通過するため、滅菌場を損なうリスクは、殆どまたは全くない。
【００６５】
図２２を参照すると、本発明の実施形態に従って構成される医療用ドレープを使用する方法２２００が、示される。ステップは、概して、前述されているが、ここでも簡単に、述べられる。
【００６６】
方法２２００は、ステップ２２０１において開始し、医療施術者または患者は、医療用ドレープを取得する。一実施形態では、医療用ドレープは、医療用ドレープを形成するために相互に取着可能である、２つの構成要素に二等分される。第１の部分は、患者ドレープである。第２の部分は、半径方向ドレープ取着部である。半径方向ドレープ取着部は、半径方向ドレープ取着部を患者ドレープに接着する、接着連結部を有する。
【００６７】
ステップ２２０２では、患者ドレープが、患者を横断して留置される。ステップ２２０３では、半径方向ドレープ取着部が、患者ドレープの真下から外向きに延在する、四肢を覆って留置される。患者ドレープに対して、所望の半径方向関係に配向されると、半径方向ドレープ取着部は、ステップ２２０３において、半径方向ドレープ取着部が、患者ドレープの周縁を越えて延在するように、接着連結部を患者ドレープに接着することによって、患者ドレープに添着される。ステップ２２０３はまた、手技部位を覆って、半径方向ドレープ取着部の開口または穿孔を留置するステップを含むことができる。穿孔または開口が、剥離可能カバーを含む場合、これは、ステップ２２０４において除去されることができる。ユーザまたは挿入専門家は、次いで、ステップ２２０５において、末梢部に挿入される中心カテーテルを挿入部位内に挿入することができる。
【００６８】
前述のように、１つ以上の実施形態では、医療用ドレープの半径方向ドレープ取着部は、統合された止血帯を含むであろう。これが当てはまる場合、統合された止血帯を使用するための随意のステップが、含まれることができる。例えば、ステップ２２０８において、患者の腕が、統合された外筒を通して留置されることができる。止血帯が、連結器を含む場合、ステップ２２０８は、患者の四肢を中心として、連結器を緊結するステップを含むことができる。ステップ２２０９では、適切なときに、挿入専門家は、医療用ドレープの非患者側から延在する止血帯の端部にアクセスすることによって、外筒内に配置される止血帯を締結することができる。
【００６９】
プロセスが完了すると、医療用ドレープは、ステップ２２０７において、患者から除去される。医療用ドレープの半径方向ドレープ取着部が、工具を必要としない除去特徴を含む場合、随意のステップ２２０６として、前述のように、工具を必要としない除去特徴を開放するステップを含むことができる。
【００７０】
前述の明細書では、本発明の具体的実施形態が、説明された。しかしながら、当業者は、種々の修正および変更が、以下の請求項に記載される本発明の範囲から逸脱することなく、行なわれてもよいことを理解する。したがって、本発明の好ましい実施形態が、図示および説明されたが、本発明が、そのように限定されないことは、明白である。多数の修正、変更、変形例、代用、および均等物が、以下の請求項によって定義される、本発明の精神および範囲から逸脱することなく、当業者に想起されるであろう。例えば、半径方向ドレープ取着部は、不透明であるように構成することができる一方、患者ドレープの区画は、透明であって、患者の脚の一方の静脈内へ等、中心カテーテル挿入のための１つ以上の開口を画定するように構成される。
【００７１】
故に、明細書および図は、限定的意味ではなく、例証的であると見なされるべきであって、全てのそのような修正は、本発明の範囲内に含まれることが意図される。利益、利点、問題の解決策、およびいかなる利益、利点、または解決策をも発生させる、あるいはそれらがより顕著なものとなる、いかなる要素も、一部または全部の請求項の重要、必要、または不可欠な特徴または要素として解釈されるべきではない。
【図１】
2014534829.tif 000003
【図３】
2014534829.tif 000004
【図４】
2014534829.tif 000005
【図５】
2014534829.tif 000006
【図６】
2014534829.tif 000007
【図７】
2014534829.tif 000008
【図８】
2014534829.tif 000009
【図９】
2014534829.tif 000010
【図１０】
2014534829.tif 000011
【図１１】
2014534829.tif 000012
【図１２】
2014534829.tif 000013
【図１３】
2014534829.tif 000014
【図１４】
2014534829.tif 000015
【図１５】
2014534829.tif 000016
【図１６】
2014534829.tif 000017
【図１７】
2014534829.tif 000018
【図１８】
2014534829.tif 000019
【図１９】
2014534829.tif 000020
【図２０】
2014534829.tif 000021
【図２１】
2014534829.tif 000022
【図２】
2014534829.tif 000023
【図２２】
2014534829.tif 000024
【国際調査報告】
2014534829.tif 000025
2014534829.tif 000026